(57)【要約】      （修正有）【課題】複数個の市販の容器を貯水タンクとし、それを段積みして貯水量の増加を図るが、構造上の安定性を保つため低重心に配慮し下段タンクに先行注水し、満水後に上段タンクへの注水を行う雨水取水装置を提供する。【解決手段】雨水受水管広口部５−２と上段タンク６−１の上面開口部は並列に設置され、双方の上方に備えたガイドレール２０には雨樋から雨水の供給を受けた雨水注水口４が懸架されており、ガイドレールに添って移動可能である。通常時、雨水注水口は雨水受水管広口部の上方に付勢されているため、雨水は下段タンク６−２に導入されるが、下段タンクが満水位に至ると、下段タンク内部に備わったフロート１３は連動し満水位面に上昇するため、このフロートにはヒモ部材１６を装着しており、ヒモ部材はフロートに曳かれ、滑車を経て雨水注水口に連結しているので、前記広口部より上段タンク上面開口部の上方へ移動する雨水注水先切替え装置を有する。【選択図】図１
0003174844.tif 000002
【実用新案登録請求の範囲】
【請求項１】
雨水を貯水するための上段貯水タンク及び下段貯水タンクの段積み貯水タンクと、屋根に降った雨水を雨樋から該両貯水タンク側へと分岐させる雨水取水管と、該雨水取水管より雨水の供給を受け前記下段貯水タンクに優先的に雨水を導入する雨水受水管と、該雨水受水管が取り付けられている前記上段貯水タンクと前記下段貯水タンクとの雨水注水先切替え装置を有する雨水取水装置において、上段貯水タンクへの雨水導入位置である前記上段貯水タンクの上面開口部と下段貯水タンクへの雨水導入位置である前記雨水受水管の広口部を並列に設け、前記雨水取水管の先端部に設けられた雨水注水口を前記下段貯水タンクへの雨水導入位置と前記上段貯水タンクへの雨水導入位置との間でガイド部材に沿って移動可能とし、前記雨水注水口は通常時前記広口部の上方に静止するように付勢手段で付勢されていると共に前記下段貯水タンクにフロートを設置し、該フロートを前記雨水注水口に方向変換部材を介してヒモ部材で連結し、前記下段貯水タンクの水位上昇による前記フロートの上昇により、前記ヒモ部材が曳かれ、前記雨水注水口を前記下段貯水タンクへの雨水導入位置より前記上段貯水タンクへの雨水導入位置へと牽引することを特長とする雨水注水先切換え装置を有する雨水取水装置。
【請求項２】
上記雨水注水口がＬ字形である請求項１に記載の雨水注水先切換え装置を有する雨水取水装置。
【請求項３】
上記ガイド部材がガイドレールであって、上記雨水注水口がフック部材により前記ガイドレールに懸架されている請求項１または２に記載の雨水注水先切換え装置を有する雨水取水装置。
【請求項４】
上記方向変換部材が滑車である請求項１乃至３のいずれかに記載の雨水注水先切換え装置を有する雨水取水装置。
【請求項５】
上記下段貯水タンクの水位低下により下降した上記フロートに連動して、上記雨水注水口が強制的に上記下段貯水タンクへの雨水導入位置である上記雨水受水管の上記広口部の上方へ後退静止するように、上記付勢手段がスプリングであって、請求項１乃至４のいずれかに記載の雨水注水先切換え装置を有する雨水取水装置。
【考案の詳細な説明】
【技術分野】
【０００１】  この考案は、屋根に降った雨水を雨樋から取水するに際し、複数個の貯水タンクを上段および下段の段積みの貯水タンクとし、装置の重心位置に配慮して、まず下段貯水タンクから雨水注水を開始し、前記下段貯水タンクの注水完了後自動的に上段貯水タンクへの注水に切り替わる雨水注水先切替え装置を有する雨水貯水装置である。
【背景技術】
【０００２】  特許文献１、すなわち実開平６ー５３６５８公開実用新案公報では受水槽には雨水配管と水道水配管が併設され、前記受水槽内の貯水が満水および一定量を超える量の不足が生じた場合は上記受水槽内に併設した浮子の上下動を浮子に垂直状に固定された浮力伝達棒によって水道弁の開放・閉鎖をおこない、水道水により上記受水槽内の満水を図る取水装置が開示されている。
【先行技術文献】
【特許文献】
【０００３】
【特許文献１】実開平６−５３６５８公開実用新案公報
【考案の概要】
【考案が解決しようとする課題】
【０００４】  特許文献１の雨水取水装置では雨水配管により雨水を取水し生活用水とするが、限られた容量の上記受水槽では降雨量不足にたいしては前記水道水の補充が必須となることが予想され、上記水道水で満水補充直後の降雨は全て排水処理となる。
また、上記受水槽は特注品である上、水道配管工事やその他の配管工事はコスト高を招く恐れがある。【０００５】  本考案の課題は、このような従来技術の問題点を解決するため、段積みの貯水タンクを利用し、また雨水の取水方法として下段貯水タンクから優先注水し、下段貯水タンクが満水位に到達すると自動的に上段貯水タンクへ雨水の注水が自動的に切り替わり、常に低重心に配慮して貯水タンクの段積みである構造上の安定性を確保すると共に雨水の貯水量を倍増させ、生活用水として水道水の補充を極力小さいものとすることを解決課題としている。
【課題を解決するための手段】
【０００６】  請求項１の考案は、雨水を貯水するための上段貯水タンク及び下段貯水タンクの段積み貯水タンクと、屋根に降った雨水を雨樋から該両貯水タンク側へと分岐させる雨水取水管と、該雨水取水管より雨水の供給を受け前記下段貯水タンクに優先的に雨水を導入する雨水受水管と、該雨水受水管が取り付けられている前記上段貯水タンクと前記下段貯水タンクとの雨水注水先切替え装置を有する雨水取水装置において、上段貯水タンクへの雨水導入位置である前記上段貯水タンクの上面開口部と下段貯水タンクへの雨水導入位置である前記雨水受水管の広口部を並列に設け、前記雨水取水管の先端部に設けられた雨水注水口を前記下段貯水タンクへの雨水導入位置と前記上段貯水タンクへの雨水導入位置との間でガイド部材に沿って移動可能とし、前記雨水注水口は通常時前記広口部の上方に静止するように付勢手段で付勢されていると共に前記下段貯水タンクにフロートを設置し、該フロートを前記雨水注水口に方向変換部材を介してヒモ部材で連結し、前記下段貯水タンクの水位上昇による前記フロートの上昇により、前記ヒモ部材が曳かれ、前記雨水注水口を前記下段貯水タンクへの雨水導入位置より前記上段貯水タンクへの雨水導入位置へと牽引することを特長とする雨水注水先切換え装置を有する雨水取水装置である。【０００７】  請求項２の考案は、上記雨水注水口がＬ字形である請求項１に記載の雨水注水先切換え装置を有する雨水取水装置である。【０００８】  請求項３の考案は、上記ガイド部材がガイドレールであって、上記雨水注水口がフック部材により前記ガイドレールに懸架されている請求項１または２に記載の雨水注水先切換え装置を有する雨水取水装置である。【０００９】  請求項４の考案は、上記方向変換部材が滑車である請求項１乃至３のいずれかに記載の雨水注水先切換え装置を有する雨水取水装置である。【００１０】  請求項５の考案は、上記下段貯水タンクの水位低下により下降した上記フロートに連動して、上記雨水注水口が強制的に上記下段貯水タンクへの雨水導入位置である上記雨水受水管の上記広口部の上方へ後退静止するように、上記付勢手段がスプリングであって、請求項１乃至４のいずれかに記載の雨水注水先切換え装置を有する雨水取水装置である。
【考案の効果】
【００１１】  請求項１の考案では、水道水の補充により貯水量確保を思考せず、雨水そのものの貯水量増加を図り、貯水タンクを段積みとすることにより貯水量を増加させた。【００１２】  更に本考案では常に地震や強風対策として、本考案の構造物の低重心化が図られている。尚、生活用水のうち最も利用量の大きい水洗トイレ洗浄水や洗車用水の給水には上段貯水タンクより優先給水することなど、相対的な給水コントロールを可能としている。【００１３】  請求項１の考案では更に雨水の注水先切替え装置を考案し、雨水の段積みタンクへの注水方法のうち下段貯水タンクより雨水導入を開始し、該下段貯水タンクが満水位に到達次第、前記雨水注水先切替え装置が作動し、自動的に上段貯水タンクへの注水に切り替わるため、本考案の構造物の低重心化を図りながらの自動化が可能である。【００１４】  請求項２の考案によれば、雨水注水口はＬ字形になっているため、雨水の集中的な下方への落下を容易にしている。【００１５】  請求項３の考案によれば、上記ガイド部材がガイドレールであり、上記雨水注水口がフック部材によりこのガイドレールに懸架されているため、フック部材の走行すなわち雨水注水口の移動を容易に行うことができる。【００１６】  請求項４の考案によれば、上記方向変換部材が滑車であるため、上記ヒモ部材のスムースな牽引力の伝達と方向変換を容易に行うことができる。【００１７】  請求項５の考案によれば、給水などを行い、上記下段貯水タンクの水位が低下することにより下降した上記フロートに連動して、上記雨水注水口が強制的に後退できるように、その付勢手段としてスプリングを用いているため、その後退を確実に実行できる。
【図面の簡単な説明】
【００１８】
【図１】本考案の雨水取水装置の実施態様を示す部分拡大正面説明図である。
【図２】同正面説明図である。
【図３】下段貯水タンクへの注水時の雨水注水口付近を示す部分拡大図である。
【図４】上段貯水タンクへの注入時の雨水注水口付近を示す部分拡大図である。
【考案を実施するための形態】
【００１９】  次に、この考案の実施の形態について、添付図面に従って詳しく説明する。
この考案の雨水取水装置は図１、図２、図３、図４で示す雨水取水装置である。
【００２０】  屋根に降った雨水は図２の正面説明図に示されているように雨樋１より雨水取水器具２により分岐する。その雨水は雨水取水管３を通りその先端部に備えられたＬ字形の雨水注水口４へ向かう。この雨水の供給を受けて雨水注水口４は下段貯水タンク６−２に雨水を優先導入するため雨水受水管５−１の広口部５−２に注水を開始する。
【００２１】  図１乃至図２に示されているように下段貯水タンク６−２に優先注水する雨水受水管５−１の広口部５−２と上段貯水タンク６−１の上面開口部とは同じ高さで並列に設置されている。
【００２２】  図１、図２の正面説明図に示されているように前記広口部５−２の雨水導入位置と前記上段貯水タンク６−１上面開口部への雨水導入位置の間をその上方に設置されたガイドレール２０に添って雨水注水口４は移動可能である。
【００２３】  図１及び図２の正面説明図、図３の部分拡大図に示されているように通常時雨水注水口４は上記広口部５−２の上方に静止されるように支持棒２２にスプリング１９により付勢されている。尚、雨水注水口４の上記広口部５−２上方での静止を確実なものとするため、図３、図４に示すようにストッパー１５を設けてある。
【００２４】  図１、図２の正面説明図に示されているように下段貯水タンク６−２の内部にはフロート１３がサポートバー１４に支持され、浮力により水位変化に伴う上下動可能なように配置されている。
【００２５】  図１、図２の正面説明図に示されているように前記フロート１３にはヒモ部材１６の一端が装着されている。前記ヒモ部材１６は滑車１７，１８を介して上記雨水注水口４を懸架するフック部材２３と固定連結している。
【００２６】  図１の正面説明図及び図３の部分拡大図に示されているように上記下段貯水タンク６−２に雨水受水管５−１を通じて雨水が導入され、該タンクの貯水が満水位レベルに到達すると、上記フロート１３の上昇に連動して、上記ヒモ部材１６は曳かれ滑車１７，１８を介して、上記雨水注水口４は図３の部分拡大図に示すように上記下段貯水タンク６−２に雨水の優先注水を行うための雨水受水管５−１の広口部５−２側より上記上段貯水タンク６−１の上面開口部側の上方に移動し、注水を行うことができる。
【００２７】  図３、図４の部分拡大図に示されているように前記フック部材２３は前記ガイドレール２０に懸架され、その接触部にはローラー体２１が備わっているため、前記フック部材２３の走行すなわち雨水注水口４の移動を容易に行うことができる。
【００２８】  図１の正面説明図に示されているように本考案はこのような雨水注水先切替え装置を備え、上記下段貯水タンク６−２へ優先的に雨水導入後に上記上段貯水タンク６−１へ雨水の導入を開始する。
【００２９】  図４の部分拡大図に示されているように生活用水としての給水のため上記下段貯水タンク６−２の貯水量の減少時には、このタンク水面が下降するため、上記フロート１３はその牽引力を失い、地盤に固定された支持棒２２に向かって付勢されたスプリング１９の引戻力により上記フック２３すなわち雨水注水口４は図４中の太線矢印の方向に上記下段貯水タンク６−２専用の雨水受水管５−１の広口部５−２上方位置まで後退・静止する。
【符号の説明】
【００３０】１  雨樋
２  雨水取水器具
３  雨水取水管
４  雨水注水口
５−１  雨水受水管
５−２  雨水受水管広口部
６−１  上段貯水タンク
６−２  下段貯水タンク
７    タンク連結管
１０  上段貯水タンク排水管
１１  下段貯水タンク排水管
１３  フロート
１４  サポートバー
１５  ストッパー
１６  ヒモ部材
１７、１８  滑車
１９  スプリング
２０  ガイドレール
２１  ローラー体
２２  支持棒
２３  フック部材
２４  給水口
２５  ブロック材
【図１】
0003174844.tif 000003
【図２】
0003174844.tif 000004
【図３】
0003174844.tif 000005
【図４】
0003174844.tif 000006